(57)【特許請求の範囲】
【請求項１】
窓ガラス（２１）の内側（内気側）の二辺周縁に、軟質樹脂材により一体成形されたコーナー部材（１０）がその断面略凹形溝部（１４）を内側（内気側）に向け、かつ前記窓ガラス（２１）の内側（内気側）との間に空間部（２３）を形成するようにして一体的なＬ形に接着され、
次いで、透明性に優れたポリカーボネイト材からなる結露防止パネル（１）の二辺の周縁（１ａ）に、前記コーナー部材（１０）と同一のコーナー部材（１０）がその前記断面略凹形溝部（１４）を介して密接に挿入されてＬ形に挿着され、
次いで、前記結露防止パネル（１）における前記コーナー部材（１０）の挿着されていない二辺の周縁（１ａ）が、前記窓ガラス（２１）にＬ形に接着されているコーナー部材（１０）の断面略凹形溝部（１４）に密接に挿入されて挿着され、同時にコーナー部材（１０）が前記窓ガラス（２１）に接着されて前記結露防止パネル（１）が取り付けられる構成を特徴とする窓ガラスに対する結露防止パネルの取り付け方法。
【発明の詳細な説明】
【技術分野】
【０００１】
本発明は、窓ガラスの内側（内気側）に対する結露防止パネルの取り付け方法に関するものである。
【背景技術】
【０００２】
従来、窓ガラスの結露を防止するための結露防止パネルの窓ガラスへの取り付けは、結露防止パネルの四辺周縁を両面粘着テープにより粘着して取り付けているのが一般的である。
【０００３】
ところで、両面粘着テープの一例としては、伸長するゴム製基材の両面に粘着剤層とポリエステル等の樹脂材からなるメッシュ状剥離補助部材が積層加工されてなるテープが用いられ、一方の粘着剤層がメッシュ状剥離補助部材を介して結露防止パネルの周縁（四辺）に粘着され、他方の粘着剤層がメッシュ状剥離補助部材を介して窓ガラスの内側（内気側）に粘着されて取り付けられる。
【０００４】
しかし、この両面粘着テープによる取り付けは、結露防止パネルの四辺に両面粘着テープを粘着させた状態でこの結露防止パネルを窓ガラスに粘着させなければならないために結露防止パネルの位置決めが難しくて、その取り付け作業が容易でなく、誰にでも簡単に取り付け、取り外しができるというものではなかった。
【特許文献１】特願２００３−１３８０２５
【発明の開示】
【発明が解決しようとする課題】
【０００５】
本発明が解決しようとする問題点は、窓ガラスに対する結露防止パネルの取り付け作業において、結露防止パネルの位置決めが難しくて、その取り付け作業が容易でなく、誰にでも簡単に結露防止パネルの取り付け、取り外しができないという点である。
【０００６】
したがって、本発明の目的は、窓ガラスに対する結露防止パネルの取り付け、取り外しが誰にでも簡単にできるようにしたものである。
【課題を解決するための手段】
【０００７】
この目的のため、本発明の請求項1に記載の窓ガラスに対する結露防止パネルの取り付け方法は、窓ガラス２１の内側（内気側）の二辺周縁に、軟質樹脂材により一体成形されたコーナー部材１０がその断面略凹形溝部１４を内側（内気側）に向け、かつ前記窓ガラス２１の内側（内気側）との間に空間部２３を形成するようにして一体的なＬ形に接着され、
次いで、透明性に優れたポリカーボネイト材からなる結露防止パネル１の二辺の周縁１ａに、前記コーナー部材１０と同一のコーナー部材１０がその前記断面略凹形溝部１４を介して密接に挿入されてＬ形に挿着され、
次いで、前記結露防止パネル１における前記コーナー部材１０の挿着されていない二辺の周縁１ａが、前記窓ガラス２１にＬ形に接着されているコーナー部材１０の断面略凹形溝部１４に密接に挿入されて挿着され、同時にコーナー部材１０が前記窓ガラス２１に接着されて前記結露防止パネル１が取り付けられる構成を特徴とするものである。
【発明の効果】
【０００８】
本発明に係る窓ガラスに対する結露防止パネルの取り付け方法によれば、窓ガラス２１の内側（内気側）の二辺周縁に、軟質樹脂材により一体成形されたコーナー部材１０がその断面略凹形溝部１４を内側（内気側）に向け、かつ前記窓ガラス２１の内側（内気側）との間に空間部２３を形成するようにして一体的なＬ形に接着され、
次いで、透明性に優れたポリカーボネイト材からなる結露防止パネル１の二辺の周縁１ａに、前記コーナー部材１０と同一のコーナー部材１０がその前記断面略凹形溝部１４を介して密接に挿入されてＬ形に挿着され、
次いで、前記結露防止パネル１における前記コーナー部材１０の挿着されていない二辺の周縁１ａが、前記窓ガラス２１にＬ形に接着されているコーナー部材１０の断面略凹形溝部１４に密接に挿入されて挿着され、同時にコーナー部材１０が記窓ガラス２１に接着されて前記結露防止パネル１が取り付けられるものであるから、結露防止パネル１の位置決めが容易であって、誰にでも簡単に結露防止パネルの取り付け、取り外しができる。
【０００９】
又、本発明に係る窓ガラスに対する結露防止パネルの取り付け方法によれば、コーナー部材１０における窓ガラス２１との接着面部が肉厚とされて、窓ガラス２１と結露防止パネル１との間に十分な空間部２３が形成されるようにして取り付けられるものであるから、この空間部２３内の動かない空気層により外気は遮断されて室内に伝わらず、結露防止効果が向上する。
【発明を実施するための最良の形態】
【００１０】
以下に図面を参照して、本願に係る発明を実施するための最良の形態についてその作用と共に説明する。
【００１１】
図１は、一部を省略して示すコーナー部材の平面図、図２は、図1の２−２線に沿った断面図、図３は、コーナー部材の他例を示す断面図、図４は、窓ガラスに対する結露防止パネルの取り付け手順を示す平面的説明図、図５は、結露防止パネルの取り付け完成状態を示す平面図である。
【００１２】
結露防止パネル1を取り付け保持するコーナー部材１０は、窓枠２０を有する窓ガラス２１の内側（内気側）いっぱいに両面接着テープ２２を介して接着される接着面部１１と、該接着面部１１と対向する対向面部１２及びこれら面部１１、１２に連なる連設面部１３により形成された断面略凹形溝部１４を有し、該コーナー部材１０は、軟質ゴム等の軟質樹脂材による長尺の一体成形品として得られ、取り付け時には所定の長さに切断して用いられる。
【００１３】
コーナー部材１０における接着面部１１の肉厚Ｄは対向面部１２の肉厚ｄよりも厚く形成され、これにより結露防止パネル1と窓ガラス２１の接着面との間の空間部２３が十分に保持されるようになっている。
【００１４】
なお、コーナー部材1０における接着面部１１から対向面部１２までの全体の高さＨは、窓の開閉に支障を起こさない高さに設定されている。
【００１５】
又、コーナー部材1０の色は、室内の雰囲気を損なわないようにするため、黒色系は避け、白色又はベージュ色が好ましい。
【００１６】
コーナー部材1０は軟質ゴム等の軟質樹脂製であるから、断面略凹形溝部１４に挿入される結露防止パネル1は密接状態で挿入されるが、更にこの密接状態を確実にして、かつ良好とするため、対向面部は図３に示されているように、やや下向き傾斜状対向面部１２ａとされ、この面部１２ａの先端部内面と結露防止パネル１が圧接密着するようになっている。
【００１７】
結露防止パネル1は透明性、耐候性、耐熱性に優れたポリカーボネイト材からなり、特に図示しないが、相対向するパネル面部間が多数の仕切部を介して一定方向に等間隔で中空部が形成され、かつ各中空部の両端開口部が熱シール等により密閉され、各中空部内の空気が動かないようにされている。
【００１８】
次に、結露防止パネル1の取り付け手順について説明する。
【００１９】
先ず、図４に示されているように、窓枠２０の二辺の幅いっぱいに沿って窓ガラス２１の内側(内気側)にコーナー部材１０が、その断面略凹形溝部１４を内側（内気側）に向け、かつ窓ガラス２１の内側（内気側）との間に空間部２３を形成するようにして両面接着テープ２２を介して接着面部１１が接着されることにより一体的なＬ形に取り付けられる。
【００２０】
次いで、結露防止パネル１の二辺の周縁１ａに、コーナー部材１０と同一のコーナー部材１０がその断面略凹形溝部１４を介して密接に挿入されてＬ形に挿着される。
【００２１】
この場合において、二辺のコーナー部材１０のそれぞれの長さは、窓ガラス２１に取り付けられた二辺のコーナー部材１０のそれぞれよりもコーナー部材１０の横幅分だけ短くなっている。
【００２２】
次いで、結露防止パネル１におけるコーナー部材１０の挿着されていない二辺の周縁１ａが、窓ガラス２１にＬ形に接着されているコーナー部材１０の断面略凹形溝部１４に密接に挿入されて挿着され、同時にコーナー部材１０が両面接着テープ２２を介して窓ガラス２１に接着され、結露防止パネル１が図５に示された状態に取り付けられる。
【図面の簡単な説明】
【００２３】
【図１】本発明に係る窓ガラスに対する結露防止パネルの取り付け方法において用いられるコーナー部材の一部省略の平面図である。
【図２】図1の２−２線に沿った断面図である。
【図３】コーナー部材の他例を示す断面図である。
【図４】結露防止パネルの取り付け手順を示す平面的説明図である。
【図５】結露防止パネルの取り付け完成状態を示す平面図である。
【符号の説明】
【００２４】
１ 結露防止パネル
1ａ 結露防止パネルの周縁
１０ コーナー部材
１４ 断面略凹形溝部
２１ 窓ガラス
２２ 両面接着テープ
２３ 空間部
【図１】
0003801590.tif 000002
【図２】
0003801590.tif 000003
【図３】
0003801590.tif 000004
【図４】
0003801590.tif 000005
【図５】
0003801590.tif 000006